【手続補正書】
【提出日】平成19年9月18日(2007.9.18)
【手続補正１】
【補正対象書類名】明細書
【補正対象項目名】特許請求の範囲
【補正方法】変更
【補正の内容】
【特許請求の範囲】
【請求項１】  ローカル地震データ獲得、処理および伝送ユニット（ＲＴＵ、ローカル・ユニット）と、中央制御および記録ステーション（ＣＣＵ、中央ステーション）と、少なくとも１つのローカル制御および集中ステーション（ＲＲＳ、ローカル・ステーション）とから構成される地震装置の要素の集合であって、該各要素にはマルチタスク制御セットが設けられており、前記ローカル・ユニット（ＲＴＵ）を前記中央ステーション（ＣＣＵ）により発生された基準信号（ＴＢ）に正確に同期できるようにする、前記地震装置の要素を伝送チャネルにより一緒に接続する伝送方法において、
前記中央ステーションと少なくとも１つの端末ステーションを相互に接続するために伝送ネットワーク（Ｌ、ＲＦｉ）を用いることと、
前記中央ステーション（ＣＣＵ）と前記ローカル・ユニット（ＲＴＵ）との間の前記伝送チャネルにおけるデータ伝送時間を予め測定することと、
前記ローカル・ユニット（ＲＴＵ）による前記地震データの獲得を予めトリガすることとを備え、前記基準信号（ＴＢ）の受信時間に関連する保持時間間隔は、固定されていて、伝送時間より長く、
そして、前記保持時間間隔を考慮するために、前記端末ステーションにおいて、前記端末ステーションのマルチタスク制御手段および前記伝送ネットワークを通ることに結び付けられている実効伝送時間変動を考慮に入れて、前記基準信号（ＴＢ）に調整された補償遅延を加えることとを、備え、
前記補償遅延は前記ネットワークの各伝送チャネルの実効伝送速度に従って調整されることを特徴とする地震装置の要素を伝送チャネルにより一緒に接続する伝送方法。
【請求項２】  中央ステーション（ＣＣＵ）における基準信号（ＴＢ）の直接検出と、
検出された前記基準信号からの、特性フレームの形成、および中央ステーション（ＣＣＵ）のインタフェース・モジュール（ＮＣＩ）へのその特性フレームの直接適用と、
各端末ステーションのインタフェース・モジュール（ＮＣＩ）における基準信号（ＴＢ）のフレーム特性の検出と、
前記端末ステーションにおける、前記保持時間間隔に合わされた補償遅延の基準信号（ＴＢ）への適用とを、備える請求項１に記載の方法。
【請求項３】  基準信号（ＴＢ）の直接検出、および伝送ネットワーク（Ｌ、ＲＦｉ）による前記端末ステーションへのフレーム（ＴＢ１）の発生と、
基準信号（ＴＢ）が中央ステーション（ＣＣＵ）のマルチタスク制御手段により考慮に入れられる時間と、伝送ネットワーク（Ｌ、ＲＦｉ）におけるそれの実効伝送時間との間の時間間隔を測定することと、
第２の符号化された信号（ＴＢ２）の形でのこの時間間隔の値の伝送と、
前記保持時間間隔を考慮するためにその時間間隔を考慮に入れて調整された補償遅延を、前記端末ステーションにおいて、基準信号（ＴＢ）に加えることとを、備える請求項１に記載の方法。
【請求項４】  前記端末ステーションがローカル・ステーション（ＲＲＳ）である請求項１から３のいずれか１項に記載の方法。
【請求項５】  前記端末ステーションがローカル・ユニット（ＲＴＵ）である請求項１から４のいずれか１項に記載の方法。
【請求項６】  伝送ネットワーク（Ｌ、ＲＦｉ）が特定の伝送プロトコルに従って動作する標準ローカル・ネットワーク（ＬＡＮ）である請求項１から５のいずれか１項に記載の方法。
【請求項７】  ローカル・ユニット（ＲＴＵ）と、中央ステーション（ＣＣＵ）と、少なくとも１つのローカル・ステーション（ＲＲＳ）とから構成される地震装置の要素の集合であって、該各要素にはマルチタスク制御手段が設けられており、前記ローカル・ユニット（ＲＴＵ）を前記中央ステーション（ＣＣＵ）により発生された基準信号（ＴＢ）に正確に同期できるようにする、前記地震装置の要素を伝送チャネルにより一緒に接続する伝送システムにおいて、
中央ステーションおよび各端末ステーション内のインタフェース・モジュール（ＮＣＩ）に関連させられ、特定の伝送プロトコルを考慮するために適合され、既知である伝送時間を有する少なくとも１つの伝送チャネルを備え、前記中央ステーションと少なくとも１つの端末ステーション（ＲＴＵ、ＲＲＳ）を相互に接続するための伝送ネットワーク（Ｌ、ＲＦｉ）と、
前記中央ステーション（ＣＣＵ）と前記ローカル・ユニット（ＲＴＵ）との間の各伝送チャネルにおけるデータ伝送時間を測定する手段と、
固定されていて、伝送時間より長い、基準信号（ＴＢ）の受信時間に関連する保持時間間隔を有する、前記ローカル・ユニット（ＲＴＵ）による地震データの獲得を予めトリガする手段と、
前記マルチタスク制御手段および前記伝送ネットワーク（Ｌ、ＲＦｉ）を通ることに結び付けられている実効伝送時間変動を考慮に入れて、前記基準信号に調整された補償遅延を加える手段とを、備え、
前記補償遅延は、使用されている各伝送チャネルの実効伝送速度に適合されていることを特徴とする地震装置の要素を伝送チャネルにより一緒に接続する伝送システム。
【請求項８】  各ローカル・ステーション（ＲＲＳ）へ向けて、前記基準信号を表す符号化された信号を伝送チャネル上に直接発生することを意図された、中央ステーション（ＣＣＵ）内のインタフェースセット（ＴＢＧ／Ｉ）と、前記符号化された信号を復号するためのインタフェースセット（ＴＢＤ／Ｉ）と、決定された遅延を復号された信号に加えるカウント手段（Ｄ−ＣＰＴ）と、遅延された信号に同期している信号（ＳＹＮＣＴＢ）をローカル・ユニット（ＲＴＵ）へ向けて発生する発生器（ＳＹＮＣＴＢ−Ｇ）とを備え、前記遅延は前記基準信号の転送のために用いられる前記伝送チャネルの実効伝送速度に依存する請求項７に記載のシステム。
【請求項９】  割込み制御器（ＩＴ−Ｃ）とソフトウエア手段とを中央ステーション（ＣＣＵ）に備え、
インタフェースセット（ＴＢＤ／Ｉ）と、カウント手段（Ｄ−ＣＰＴ）と、信号発生器（ＳＹＮＣＴＢ−Ｇ）と、別のソフトウエア手段とを各ローカル・ステーション（ＲＲＳ）に備え、
前記ソフトウエア手段は、基準信号の検出と、基準信号を特徴付ける第１のフレーム（ＴＢ１）の伝送ネットワーク（Ｌ、ＲＦｉ）の伝送チャネルにおける実効発生との間の時間間隔を測定し、かつ該時間間隔の長さを示す第２のフレーム（ＴＢ２）を伝送するために、前記第１のフレーム（ＴＢ１）の発生を制御し、  前記インタフェースセット（ＴＢＤ／Ｉ）は前記フレーム（ＴＢ１、ＴＢ２）を復号し、
前記カウント手段（Ｄ−ＣＰＴ）は復号された信号を遅延させ、
前記信号発生器（ＳＹＮＣＴＢ−Ｇ）は遅延された信号に同期された信号（ＳＹＮＣＴＢ）をローカル・ユニット（ＲＴＵ）へ向けて発生し、
前記別のソフトウエア手段は、カウント手段（Ｄ−ＣＰＴ）による、測定された時間間隔と、基準信号の転送のために用いられる伝送チャネルの実効伝送速度とに、依存する遅延の適用を意図されている請求項７に記載のシステム。
【請求項１０】  前記端末ステーションがローカル・ステーション（ＲＲＳ）である請求項７から９のいずれか１項に記載のシステム。
【請求項１１】  前記端末ステーションがローカル・ユニット（ＲＴＵ）である請求項７から９のいずれか１項に記載のシステム。
【請求項１２】  伝送ネットワーク（Ｌ、ＲＦｉ）が前記特定の伝送プロトコルに従って動作する標準ローカル・ネットワーク（ＬＡＮ）である請求項７から１１のいずれか１項に記載のシステム。